(57)【特許請求の範囲】
【請求項１】
シャッタレリーズ操作に応答してチャージ位置からレリーズ完了位置に移動する蹴飛ばしアームで閉じ位置にあるシャッタ羽根を蹴飛ばしてシャッタ開口を開放し、復帰バネの付勢でシャッタ羽根を閉じ位置に戻すようにしたシャッタ装置に組み込まれ、前記シャッタ羽根の開閉動作に対応したシャッタ羽根の動作信号を得るシャッタ開閉動作検出装置において、
前記シャッタ羽根に設けた作動片の移動域に一端が突出した弾性変形自在な第１接片と、この第１接片とスイッチング動作する第２接片とからなり、前記第１接片は、シャッタ羽根が閉じ位置にあるときに前記作動片の押圧によって屈曲して第２接片に対して第１のスイッチング状態を維持し、シャッタ羽根の開放により作動片が移動してその押圧が解かれたときに復帰変形して第２接片に対して第２のスイッチング状態に切り換わり、且つこの第１接片はレリーズ完了位置に移動した前記蹴飛ばしアームの押圧によって屈曲し、第２のスイッチング状態から第１のスイッチング状態に切り換えられることを特徴とするシャッタ開閉動作検出装置。
【請求項２】
前記蹴飛ばしアームの押圧による第１接片の屈曲量は、シャッタ羽根が閉じ位置にあるときの作動片による屈曲量よりも大きくしたことを特徴とする請求項１記載のシャッタ開閉動作検出装置。
【請求項３】
前記第１接片の一端は、先端が作動片の移動域から離れる方向に湾曲しており、シャッタ羽根が閉じ位置に戻るときに作動片に摺接して衝撃を吸収することを特徴とする請求項２記載のシャッタ開閉動作検出装置。
【発明の詳細な説明】
【０００１】
【発明の属する技術分野】
本発明は、シャッタ開閉動作検出装置に関し、さらに詳しくは、カメラやレンズ付きフイルムユニット等のシャッタ装置に組み込まれ、シャッタの開閉動作に対応した動作信号を得るためのシャッタ開閉動作検出装置に関するものである。
【０００２】
【従来の技術】
安価なカメラやレンズ付きフイルムユニットに用いられるシャッタ装置には、１枚又は２枚以上のシャッタ羽根を一往復揺動させてシャッタ開口を開閉するものが知られている。これらのシャッタ羽根揺動タイプのシャッタ機構では、駆動源の蓄積時にシャッタ羽根でシャッタ開口を封鎖しており、駆動源の蓄積開放に応答してシャッタ開口を開口し、適当な時間経過後に再び元の位置に戻ってシャッタ開口を封鎖する。
【０００３】
このようなシャッタ機構には、種々の信号を取り出すためのスイッチが組み込まれることが多い。例えば、シャッタ羽根の開き開始を検出する開き動作検出用スイッチ、シャッタ羽根の閉じ開始を検出する閉じ動作完了検出用スイッチ、及びシャッタ羽根がシャッタ開口を略全開したことを検出する全開検出用スイッチ等である。全開検出用スイッチは、シンクロスイッチとして用いられることは周知である。
【０００４】
シンクロスイッチの構造としては、実公平６−４１２２７号公報等に提案されているように、一対の接片で構成されている。一方の接片は、シャッタ部材の移動路内に一端が位置するように設けられ、シャッタ羽根が開き位置のときにシャッタ羽根の押圧によって屈曲され、また、他方の接片は、屈曲した前記接片に先端の一部が接触するように先端部の位置が決められている。
【０００５】
開き動作検出用スイッチと閉じ動作検出用完了スイッチとは、例えば写真フイルムへのデータ写し込み用の光源の点灯、及び消灯のタイミング用スイッチとして用いられる。
【０００６】
光学情報を写真フイルムに記録するカメラには、光源、制御手段、及びデータ手段等が必要となる。光源は、データ手段に照明光を与える。この光源としては、ＬＥＤを利用するものや電球を利用するものが知られている。データ手段は、写し込みデータを複数もっており、外部操作可能に設けた操作部材の選択操作に連動して、写真フイルムの前面、又後面側で写し込むデータを切り換える。
【０００７】
制御手段は、光源から放たれる光を写真フイルムに露光させる時間を一定に制御するためのものであり、一般的にシャッタの開閉に連動させて制御するものが多い。例えば、シャッタの開き開始で光源を点灯させ、シャッタの閉じ完了で光源を消灯させるように制御すればよい。そこで、シャッタの開き開始を検出するスイッチと、シャッタの閉じ完了を検出するスイッチとを備えた光源点灯回路を用いれば、安価で且つ簡素な構造で達成することができる。
【０００８】
【発明が解決しようとする課題】
しかしながら、シャッタの開き開始を検出するスイッチと、シャッタの閉じ完了を検出するスイッチとの２つのスイッチを用いると、一方のスイッチが閉路のときには他方のスイッチが開路となるように互いのスイッチをシーソー式に連係させる機構が必要となり、コストアップとなる。また、シャッタ機構は、前述したように、一往復揺動タイプであるから、シャッタ羽根の開き開始位置とシャッタ羽根の閉じ完了位置とが略同じ位置となり、これらのスイッチの配置がスペース的に困難となる。
【０００９】
また、これらのスイッチを１つのスイッチで兼用する場合には、開き開始位置でこのスイッチをＯＮし、再びこの位置に戻ったときにＯＦＦさせればよいが、この間の開閉動作中はこのスイッチをＯＮ状態で維持させる必要が生じる。このように開閉動作中にスイッチをＯＮ状態で維持させるには、シャッタ羽根自体でスイッチを押圧させることになるため、シャッタ開閉速度が不安定となってしまう。
【００１０】
本発明は、上記各問題を解決するためのもので、安価で、且つ、簡単な構成で達成でき、しかもシャッタ羽根の開閉動作に悪影響を及ぼさないように工夫したシャッタ開閉動作検出装置を提供することを目的とする。
【００１１】
【課題を解決するための手段】
上記問題点を解決するために、請求項１記載の発明では、シャッタ羽根に設けた作動片の移動域に一端が突出した弾性変形自在な第１接片と、この第１接片とスイッチング動作する第２接片とからなり、前記第１接片は、シャッタ羽根が閉じ位置にあるときに前記作動片の押圧によって屈曲して第２接片に対して第１のスイッチング状態を維持し、シャッタ羽根の開放により作動片が移動してその押圧が解かれたときに復帰変形して第２接片に対して第２のスイッチング状態に切り換わり、且つこの第１接片はレリーズ完了位置に移動した前記蹴飛ばしアームの押圧によって屈曲し、第２のスイッチング状態から第１のスイッチング状態に切り換えられるものである。
【００１２】
蹴飛ばしアームは、シャッタチャージ操作に応答してレリーズ完了位置からチャージ位置に移動し、シャッタレリーズ操作に応答してチャージ位置からレリーズ完了位置に移動する。シャッタ羽根は、蹴飛ばしアームがチャージ位置からレリーズ完了位置に移動する過程で蹴飛ばされ、シャッタ開口を開き、復帰バネの付勢により再びシャッタ開口を閉じる。蹴飛ばしアームは、シャッタ羽根が閉じ位置に戻るよりも先に、レリーズ完了位置に移動する。
【００１３】
シャッタ羽根が閉じ位置のときには、シャッタ羽根の作動片が第１接片を押圧し、第１接片の屈曲により第２接片との間で第１のスイッチング状態を維持している。シャッタ羽根が開き始めると、第１接片への押圧が解除される。これにより、第１接片は、復帰変形して第２接片に対して第２のスイッチング状態に切り換わる。蹴飛ばしアームは、シャッタ羽根が閉じ位置に戻るよりも先にレリーズ完了位置に戻り、このとき、第１接片を押圧して屈曲させ、第２のスイッチング状態から第１のスイッチング状態に切り換える。
【００１４】
ところで、蹴飛ばしアームがレリーズ完了位置に移動したときには、第１接片を屈曲させて第２のスイッチング状態から第１のスイッチング状態に切り換わる。その後、シャッタ羽根が閉じ位置に戻ってくる。このとき、シャッタ羽根の作動片で第１接片をさらに屈曲させるようにすると、第１接片の弾性により再びシャッタ羽根が開き位置に向けて開閉してしまい、二重露光が生じる恐れがある。このため、請求項２記載の発明では、蹴飛ばしアームの押圧による第１接片の屈曲量を、シャッタ羽根が閉じ位置にあるときの屈曲量よりも大きくしたものである。これによれば、蹴飛ばしアームがレリーズ完了位置に戻った後にシャッタ羽根が閉じ位置に戻ってきても、作動片が第１接片を押圧して屈曲させる量を少なくすることができる。その後、シャッタチャージ操作が行われると、蹴飛ばしアームがレリーズ完了位置からチャージ位置に移動する。このとき、第１接片の押圧が解除されるが、次にシャッタ羽根の作動片で第１のスイッチング状態を維持する。
【００１５】
請求項３記載の発明では、第１接片の一端の先端を、シャッタ羽根の作動片の移動域から離れる方向に湾曲させたものである。これによれば、蹴飛ばしアームがレリーズ完了位置に戻った後にシャッタ羽根が閉じ位置に戻ったとき、第１接片に作動片が衝突する衝撃をこの湾曲部で吸収することができる。
【００１６】
【発明の実施の形態】
フイルムユニット９は、図２に示すように、写真フイルムカートリッジや各種撮影機構、及び光学情報記録機構等が内蔵されたユニット本体１０とこれの一部又は全部を覆う外装体１１とから構成されている。図３に示すように、フイルムユニット９の背面には、撮影する前にプリントサイズを決めるための選択操作部材１２が設けられている。プリントサイズは、例えば同図に示す指標Ｃ，Ｈ，Ｐのように３種類あり、撮影をする前に選択操作部材１２を所望する指標に合わせることで、撮影ごとに写真フイルムの撮影コマの範囲外に、選択操作に対応した光学情報が記録される。
【００１７】
図４に示すように、ユニット本体１０は、前カバー１３、本体基部１４、露光ユニット１５、ストロボユニット１６、写真フイルムカートリッジ１７、及び後カバー１８とで構成されている。本体基部１４には、アパーチャー１９を挟んだ一方側にカートリッジ２０が収納されるカートリッジ収納室２１が、また他方側にカートリッジ２０から写真フイルム２２をロール状に引き出したフイルムロール２２ａを収納するフイルムロール室２３がそれぞれ一体に設けられている。
【００１８】
後カバー１８には、カートリッジ収納室２１とフイルムロール室２３との底を塞ぐためのプルトップ式の底蓋２４，２５がそれぞれ設けられている。後カバー１８を取り付けた後に、これらの底蓋２４，２５で各室２１，２３の底を塞ぐことで写真フイルムカートリッジ１７が本体基部１４との間で光密に収納される。カートリッジ収納室２１の底を塞ぐ底蓋２４は、現像所で撮影済みの写真フイルム２２を収納したカートリッジ２０を取り出すときに開かれる蓋である。
【００１９】
カートリッジ収納室２１の上には、巻き上げノブ２６が回転自在に設けられている。巻き上げノブ２６は、一部が後カバー１８の開口２７から露呈している。フイルム巻き上げ操作を行うと、未露光の写真フイルム２２がフイルムロール室２３から引き出されてアパーチャー１９にセットされ、これと同時に露光済みの写真フイルム２２がカートリッジ２０の内部に収納される。
【００２０】
シャッタボタン２８は、前カバー１３の上面に一部を切り欠いて弾性自在に設けられており、押下操作により露光ユニット１５のシャッタ機構を作動させる。シャッタ機構は、シャッタ開口の前面でシャッタ羽根が一揺動するタイプである。シャッタ羽根が揺動すると、被写体光が前カバー１３の撮影窓１３ａ、及び、露光ユニット１５の撮影レンズ２９を通った被写体光がシャッタ開口を通ってアパーチャー１９にセットされた写真フイルム２２に入射する。シャッタ開口とアパーチャー１９との間は、露光ユニット１５に設けた暗箱３０により暗室とされている。
【００２１】
ストロボユニット１６は、電源回路、ストロボ充電回路、及びストロボ発光回路等をもったストロボ基板３１に、メインコンデンサ３２、電源電池３３、シンクロスイッチ３４、及びストロボ発光部３５等を一体的に取り付けたユニット部品である。この例の電源電池３３としては、単三電池である。
【００２２】
前カバー１３の前面に設けたストロボ充電スイッチ３６を押下操作すると、ストロボ充電回路が閉鎖され、電源電池３３の電圧を昇圧してメインコンデンサ３２に充電を行う。その後、シャッタレリーズに応答してシャッタ羽根が全開したときに、シンクロスイッチ３４がＯＮしてトリガー信号がストロボ発光部３５の内部の放電管に与えられ、これに応答してメインコンデンサ３２に蓄積された充電電圧により放電管が発光し、ストロボ発光部３５からストロボ光が照射され、このストロボ光が前カバー１３のストロボ発光窓３７を通って被写体を照明する。
【００２３】
このストロボ基板３１には、光学情報記録機構を構成する電球３８と、点灯制御用スイッチ３９とが取り付けられている。電球３８は、光学情報を写し込むための光源である。点灯制御用スイッチ３９は、電球３８の点灯時間を制御するためのスイッチであり、電球３８とともに点灯回路を構成している。
【００２４】
点灯回路は、点灯制御用スイッチ３９がＯＮすることに応答して電球３８に所定量以上の電流を流して電球３８を点灯させる回路であり、ストロボ基板３１に設けられている。
【００２５】
露光ユニット２３は、撮影レンズ２８、シャッタ機構、フイルム巻き止め機構、シャッタチャージ機構、及びフイルムカウンタ機構等をユニット化したものであり、図５に示すように、シャッタ羽根４０、スプロケット４１、シャッタ駆動レバー４２、係止レバー４３、チャージカム４４、巻止めカム４５、及び枚数表示板４６等で構成されている。
【００２６】
スプロケット４１には、写真フイルム２２のパーフォレーションに係合する複数の歯が設けられており、写真フイルム２２の１コマ分の巻上げ移送により半回転される。巻き上げ移送方向は、同図に示す矢印方向である。
【００２７】
スプロケット４１の回転は、チャージカム４４及び巻止めカム４５に伝達され、１コマ分の巻上げ移送により係止レバー４３が巻き止め位置に回転する。巻き止め位置に回転すると係止レバー４３が巻止めカム４５と巻き上げノブ２６とに係合してスプロケット４１の回転と巻き上げノブ２６の回転操作とを阻止する。そして、この間のチャージカム４４の回転によりシャッタ駆動レバー４２がチャージ位置にチャージされ、巻き止め位置にある係止レバー４３がこの位置で保持される。また、この間の巻止めカム４５の回転を利用して二歯ギヤ４７が枚数表示板４６を一目盛り分だけ歩進させる。
【００２８】
シャッタボタン２８がストロークの略全部で押下操作されると、シャッタボタン２８の下部に一体に設けたロッド棒２８ａが係止レバー４３を押して係止レバー４３を巻き止め位置から巻き止め解除位置に回転させる。これにより係止レバー４３はシャッタ駆動レバー４２の保持を解除し、シャッタ駆動レバー４２がチャージバネ４９の付勢によりチャージ位置から瞬時にレリーズ完了位置に向けて回転する。この間の回転中にシャッタ駆動レバー４２の蹴飛ばしアーム４２ａがシャッタ羽根４０の一端４０ａを蹴飛ばす。
【００２９】
シャッタ羽根４０は、軸４０ｂを中心に回転自在に設けられており、軸４０ｂを挟んで一端４０ａとは逆側にシャッタ開口５０を遮蔽する遮蔽部４０ｃが設けられている。一端４０ａが蹴飛ばされると遮蔽部４０ｃがシャッタ開口５０を開く開き位置に回転し、その後は復帰バネ５１の付勢により遮蔽部４０ｃがシャッタ開口５０を塞ぐ閉じ位置に戻される。一端４０ａの近傍には、シンクロスイッチ３４が位置している。
【００３０】
シンクロスイッチ３４は、シャッタ羽根４０の移動路内に一端が位置するように設けられ、シャッタ羽根４０が開き位置のときにシャッタ羽根４０の作動片４０ｄの押圧によって屈曲されるシンクロ用第１接片３４ａと、屈曲したシンクロ用第１接片３４ａに先端の一部が接触するように先端部の位置が決められたシンクロ用第２接片３４ｂとからなる。
【００３１】
シンクロスイッチ３４の上には、点灯制御用スイッチ３９が配設されている。点灯制御用スイッチ３９は、シャッタ羽根４０に設けた作動片の移動域に一端が突出した弾性変形自在な第１接片と、この第１接片とスイッチング動作する第２接片とから構成されている。
【００３２】
詳しくは図１に示すように、第１接片３９ａは、シャッタ羽根４０が閉じ位置のときにシャッタ羽根４０の移動路内に位置する一端がシャッタ羽根４０に設けた作動片４０ｄの押圧により屈曲される。第２接片３９ａは、屈曲した第１接片３９ａから離れるように、且つ、作動片４０ｄの押圧が解除されて第１接片３９ａが元の位置に戻ったときに先端の一部が接触するように、先端部の位置が決められている。したがって、第１接片３９ａと第２接片３９ｂとは、無負荷時において互いが接した形態とされている。
【００３３】
第１接片３９ａは、シャッタ羽根４０が閉じ位置にあるときに作動片４０ｄの押圧によって屈曲して第２接片３９ｂに対して第１のスイッチング状態、すなわち電気的にＯＦＦした状態を維持し、シャッタ羽根４０の開放により作動片４０ｄが移動してその押圧が解かれたときに復帰変形して第２接片３９ｂに対して第２のスイッチング状態、すなわち電気的にＯＮした状態に切り換わり、且つこの第１接片３９ａはレリーズ完了位置に移動した蹴飛ばしアーム４２ａの押圧によって屈曲し、第２のスイッチング状態から第１のスイッチング状態に切り換えられる。
【００３４】
このように、シャッタ開閉動作完了検出は、蹴飛ばしアーム４２ａの押圧でスイッチ３９をＯＦＦさせるようにしている。これは、シャッタ羽根４０でスイッチ３９をＯＦＦするようにすると、屈曲した第１接片３９ａが元の位置に戻ろうとする弾性力により再びシャッタ羽根４０を開き位置に向けて押してバウンドさせてしまい、二重露光を生じさせる不都合があるためである。
【００３５】
また、このような不都合を防止する手段として、この例では、蹴飛ばしアーム４２ａの押圧による第１接片３９ａの屈曲量を、シャッタ羽根４０が閉じ位置にあるときの作動片４０ｄによる屈曲量よりも大きくしている。ここで、作動片４０ｄが第１接片３９ａを屈曲させる位置は、蹴飛ばしアーム４２ａが屈曲させる位置より根元側である。したがって、蹴飛ばしアーム４２ａで屈曲された第１接片３９ａに、閉じ位置に戻ったシャッタ羽根４０の作動片４０ｄが当接しなくなることはなく、作動片４０ｄが当接する量を少なすることができる。これにより、二重露光を極力少なくすることができる。
【００３６】
さらに、この例では、第１接片３９ａの一端の先端を、作動片４０ｄの移動域から離れる方向に湾曲させている。これにより、蹴飛ばしアーム４２ａで屈曲された第１接片３９ａに、閉じ位置に戻ったシャッタ羽根４０の作動片４０ｄが当接しても、この湾曲部で作動片４０ｄの衝撃を吸収することができ、二重露光の防止を図ることができる。
【００３７】
シャッタ羽根４０の開閉時間は、シャッタ駆動レバー４２の蹴飛ばし力と復帰バネ５１の付勢力とで決まる。しかも、蹴飛ばしアーム４２ａの移動量も決まっている。したがって、点灯制御用スイッチ３９は、シャッタ羽根４０の開閉に連動してＯＮする時間が一定となる。
【００３８】
符号１９ａは、アパーチャー１９に対応したサイズで形成される撮影コマの範囲を示している。アパーチャー１９は暗箱３０の背面に形成されている。暗箱３０の下方には、別の遮光箱５２が形成されている。この遮光箱５２は、露光ユニット１５に設けられており、内部には電球３８、写し込み情報板５３、及び、情報切り換え板５４とが内蔵されている。光学情報は、例えば２ビットのドットの組合せで構成されており、写し込み情報板５３には、これらのドットを写真フイルム２２に形成するための２つの穴がフイルム給送方向並んで形成されている。
【００３９】
情報切り換え板５４は、写し込み情報板５３の前面でフイルム給送方向に移動自在に組み込まれており、後カバー１８の背面に露呈された選択操作部材１２に連結されている。この情報切り換え板５４には、選択操作部材１２の選択操作に応じて移動することで、写し込み情報板５３の２つの穴のうち何れか一方、又は両方の穴を露呈させる開口がそれぞれ形成されている。
【００４０】
図７は、ストロボ基板３１に組み込まれた点灯回路を示している。点灯回路は、電源電池３３、点灯制御用スイッチ３９、及び電球３８とを直列に接続した回路とされている。
【００４１】
次に上記作用を簡単に説明する。撮影完了後の状態では、図１（Ｄ）に示すように、第１接片３９ａが蹴飛ばしアーム４２ａで持ち上げられおり、点灯制御用スイッチ３９が電気的にＯＦＦした第１のスイッチング状態とされている。
【００４２】
フイルム巻き上げ操作は、巻き上げノブ２６をフイルム巻き上げ方向に回転する。これにより、未露光の写真フイルム２２がフイルムロール２２ａから引き出されてアパーチャー１９に向けて移送される。このフイルム移送によってスプロケット４１が回転してシャッタ機構のチャージが行われる。
【００４３】
シャッタ機構のチャージにより蹴飛ばしアーム４２ａは、図１（Ｄ）のレリーズ完了位置から同図（Ａ）に示したチャージ位置まで移動される。このとき、蹴飛ばしアーム４２ａが第１接片３９ａの先端から退避する。しかしながら、このときシャッタ羽根４０が閉じ位置の状態とされているから、第１接片３９ａの直ぐ下方に作動片４０ｄが位置しており、シャッタチャージにより蹴飛ばしアーム４２ａが退避しても、今度は作動片４０ｄが第１接片３９ａを保持するから、点灯制御用スイッチ３９の第１のスイッチング状態が維持される。
【００４４】
フイルム巻き上げ操作により写真フイルム２２が１コマ分の長さだけ移送されると、フイルム巻き止め機構が作動してスプロケット４１の回転と巻き上げノブ２６の巻き上げ操作とが阻止される。
【００４５】
撮影者は、撮影を行う前に、プリント時のトリミング種類を選択し、所望する位置に選択操作部材１２を選択操作する。そして、ストロボ撮影のときには、ストロボ充電ボタン３６を押下操作してストロボ充電を行った後に、シャッタボタン２８を押下操作して撮影を行う。
【００４６】
シャッタボタン２８がストロークの略全部まで押下操作されると、ロッド棒２８ａが係止レバー４３を巻き止め解除位置に向けて回転させる。これにより、シャッタ駆動レバー４２の保持が解除され、シャッタ駆動レバー４２がチャージ位置からレリーズ完了位置に向けて瞬時に回転する。この回転途中で蹴飛ばしアーム４２ａがシャッタ羽根４０の一端４０ａを蹴飛ばしてシャッタ羽根４０を一揺動させる。
【００４７】
シャッタ羽根４０は、一端４０ａが蹴飛ばされることで、図１（Ｂ）に示すように、軸４０ｂを中心として時計方向に回転する。作動片４０ｄはシャッタ羽根４０と一体に形成れているから、この回転の初期に作動片４０ｄの第１接片３９ａへの押圧が解除される。これにより、第１接片３９ａが自身の弾性により元の位置に戻り、第２接片３９ｂに接触する。このとき、点灯制御用スイッチ３９がＯＮして第２のスイッチング状態に切り換わる。点灯制御用スイッチ３９がＯＮすると、電球３８が点灯する。そして、シャッタ羽根４０の開閉中は、第１接片３９ａと第２接片３９ｂとの接触が維持されるので、第２のスイッチング状態が維持され、電球３８の点灯が継続される。
【００４８】
シャッタ羽根４０がシャッタ開口５０を全開したときには、図１（Ｃ）に示すように、シンクロスイッチ３４をＯＮし、ストロボ光が発光する。その後は復帰バネ５１の付勢によりシャッタ羽根４０が軸４０ｂを中心として反時計方向に回転し、閉じ位置に向けて移動する。
【００４９】
そして、図１（Ｄ）に示すように、シャッタ羽根４０が閉じ位置に戻るよりも先に、蹴飛ばしアーム４２ａが第１接片３９ａの先端湾曲部の下側に入り込み、これを押圧して第２接片３９ａを第２接片３９ｂから上方に離してスイッチ３９を第１のスイッチング状態に切り換える。このとき、点灯制御用スイッチ３９がＯＦＦして電球３８が消灯される。この間の電球３８の点灯により、電球３８から放たれた光が情報切り換え板５４、及び写し込み情報板５３との開口及び穴を通って写真フイルム２２の撮影コマ１９ａの下側に写し込まれる。この記録は、シャッタ羽根４０の開閉動作及び蹴飛ばしアーム４２ａの移動とに点灯制御用スイッチ３９が連動し、しかも点灯開始タイミングにもタイムラグがほとんどないから、常に適正な露出で写し込まれる。
【００５０】
シャッタ羽根４０が閉じ位置に戻ったときには、蹴飛ばしアーム４２ａが第１接片３９ａを屈曲させている。シャッタ羽根４０の閉じ位置に向けての移動は、復帰バネ５１の付勢力により行われるから勢いが増している。しかしながら、この例では、蹴飛ばしアーム４２ａの押圧による第１接片３９ａの屈曲量を、シャッタ羽根４０が閉じ位置にあるときの作動片４０ｄによる屈曲力よりも大きくし、しかも、第２接片３９ａの先端を作動片４０ｄの移動域から離れる方向に湾曲させているから、作動片４０ｄが第１接片３９ａに当接する量が少なく、このときの衝撃を第１接片３９ａの先端湾曲部で吸収することができるから、シャッタ羽根４０を再びバウンドさせてしまうような不都合を確実に防止することができる。
【００５１】
上記実施形態では、シャッタ開閉動作検出用のスイッチ３９から得られる信号に応答して、データ写し込み用光源の点灯及び消灯とを制御するための信号に用いているが、本発明ではこれに限らない。例えば、これらの信号をカメラの内部で用いる機構としては、フイルム給送機構等がある。フイルム給送機構は、シャッタ開閉中には、フイルム給送を行わないのが一般的である。そこで、シャッタ開き始め端の信号を検出し、この信号が送出されている間はフイルム給送機構の動を禁止し、閉じ終端の信号を検出することでフイルム給送機構の禁止を解除する。また、これらの信号を検査治具等で用いることもできる。例えば、これらの信号をシャッタ開閉時間を計測する検査治具で用いる。この場合には、これらの信号を外部に取り出すための接点を外部に露呈してカメラに設けておく。そして検査時には、外部からこれらの接点を介して開き始め端と閉じ終端との信号を取り出すことで、シャッタ機構の有効露光時間を簡単に、且つ精度良く計測することができる。
【００５２】
また、上記実施形態では、シャッタ機構を構成する蹴飛ばしアーム４２ａで点灯制御用スイッチ３９をＯＦＦさせているが、必ずしも蹴飛ばしアーム４２ａの押圧で行う必要はなく、シャッタ羽根４０自身、例えば作動片４０ｄでスイッチ３９をＯＦＦさせるようにしてもよい。
【００５３】
さらに、光学情報をトリミング情報としてるが、本発明ではこれに限定されることなく、例えばデートや撮影情報、及びプリント等の情報でもよい。デート情報を記録する場合には、撮影画面内に写し込む。この場合も撮影光軸とは別の光路から写し込むようにすればよく、輪郭を明確にするために結像レンズ等を用いてもよい。さらに、写真フイルムの前面から光学情報を写し込む構造にしているが、本発明ではこれに限らず、写真フイルムの背面側から光学情報を写し込むようにしてもよい。
【００５４】
上記実施例では、移動片４０ｄ及び蹴飛ばしアーム４２ａで屈曲させる接片を図１で説明した上側の第１接片３９ａとしているが、本発明ではこれに限らず、下側の第２接片３９ｂとしてもよい。この場合には、先端を湾曲させるのは勿論第２接片３９ｂに行う。また、上記実施例では、第１のスイッチング状態をＯＦＦに、第２のスイッチング状態をＯＮにしているが、本発明ではこれに限らず、第１のスイッチング状態をＯＮに、第２のスイッチング状態をＯＦＦにしてもよい。
【００５５】
【発明の効果】
以上説明したように、本発明では、シャッタ羽根に設けた作動片の移動域に一端が突出した弾性変形自在な第１接片と、この第１接片とスイッチング動作する第２接片との一対の接片で構成したら、安価で、しかも簡単な構成で達成でき、省スペース化も図ることができる。また、第１接片は、シャッタ羽根が閉じ位置にあるときに作動片の押圧によって屈曲して第２接片に対して第１のスイッチング状態を維持し、シャッタ羽根の開放により作動片が移動してその押圧が解かれたときに復帰変形して第２接片に対して第２のスイッチング状態に切り換わり、且つこの第１接片はレリーズ完了位置に移動した蹴飛ばしアームの押圧によって屈曲し、第２のスイッチング状態から第１のスイッチング状態に切り換えられるため、シャッタ羽根の開閉動作に悪影響を及ぼすことがない。
【００５６】
請求項２記載の発明によれば、蹴飛ばしアームの押圧による第１接片の屈曲量を、シャッタ羽根が閉じ位置にあるときの屈曲量よりも大きくしたから、シャッタ羽根が閉じ位置に戻ったときに、作動片が第１接片を押圧する量を少なくすることができ、二重露光の防止を図ることができる。さらに、請求項３記載の発明によれば、第１接片の先端を作動片の移動路から離れる方向に湾曲させたから、作動片が第１接片を押圧したときの衝撃を吸収することができ、二重露光を確実に防止することができる。
【図面の簡単な説明】
【図１】シャッタ羽根の開閉動作に連動してスイッチィング動作する点灯制御用スイッチの動作説明図である。
【図２】レンズ付きフイルムユニットの外観を示す斜視図である。
【図３】レンズ付きフイルムユニットの背面を示した斜視図である。
【図４】ユニット本体の分解斜視図である。
【図５】シャタ機構と光学情報記録機構等の概略を示した斜視図である。
【図６】シャッタボタンの押下操作から露光が行われるまでの各部材の作動を示したタイミングチャート図である。
【図７】データ写し込み用の光源の点灯回路を示した回路図である。
【符号の説明】
２２  写真フイルム
２８  シャッタボタン
３４  シンクロスイッチ
３４ａ  シンクロ用第１接片
３４ｂ  シンクロ用第２接片
３８  電球
３９  点灯制御用スイッチ
３９ａ  第１接片
３９ｂ  第２接片
４０  シャッタ羽根
４０ｄ  作動片
４２ａ  蹴飛ばしアーム
【図１】
0003734914.tif 000002
【図２】
0003734914.tif 000003
【図３】
0003734914.tif 000004
【図４】
0003734914.tif 000005
【図５】
0003734914.tif 000006
【図６】
0003734914.tif 000007
【図７】
0003734914.tif 000008